(57)【特許請求の範囲】
【請求項１】
開閉蓋の裏面に設けられたクランプ部材によりディスクをターンテーブル上へ圧着保持するディスク装置において、
前記開閉蓋の開閉に連動して前記ディスクを載置するためのディスクホルダーを前記ディスクの回転軸方向に移動させるリンク部材を備え、
前記ディスクホルダーが弾性部材により前記開閉蓋方向に移動するように付勢され、前記開閉蓋を開けると、前記リンク部材により前記ディスクホルダーが前記開閉蓋方向に移動させられると共に、前記開閉蓋を閉じると、前記クランプ部材が前記ターンテーブルに前記ディスクをクランプ可能となるように前記リンク部材により前記ディスクホルダーが前記開閉蓋と反対方向に移動させられ、
前記開閉蓋を開けて前記ディスクホルダーが前記開閉蓋方向に移動した位置にある場合には、前記ディスクホルダーが押されても移動しないよう係止する係止手段を備えたことを特徴とするディスク装置。
【発明の詳細な説明】
【０００１】
【発明の属する技術分野】
本発明は、ディスクをディスクホルダーに載置しターンテーブル上に装着するためのディスク装置に係り、詳しくはディスクを載置するディスクホルダーを可動式とし、ディスク載置時はディスクホルダーがディスクを装着しやすい開閉蓋方向に移動するようにしたディスク装置に関するものである。
【０００２】
【従来の技術】
近年、マルチメディアの進展に伴い、ＣＤ（Compact Disk）やＭＤ（Mini Disk）といったランダムアクセスメディアであるディスクが急速に普及しつつある。このようなランダムアクセスメディアであるディスクは磁気記録技術に基づくテープ系メディアに比較して、高忠実度化、高密度化、操作性の向上、多機能化など優れた特長がある。このような優れた特長があるディスクを再生するディスクプレーヤは種々有り、例えば設置スペースの縮小を図るため、立型のディスクプレーヤが利用される。
【０００３】
図７はこのような立型のディスクプレーヤのディスク装置の一例を示す図である。ディスク装置４５は蓋４７と、ＣＤを載置するための固定式のディスクホルダー４８と、ディスクホルダー４８に載置されたＣＤを装着するためのターンテーブル４９とから概略構成されている。蓋４７の裏面にはリング状の磁石５２を装着したクランパ５１がＣＤの軸方向に移動可能に支持されている。リング状の磁石５２は、ＣＤをクランプしている状態、すなわちターンテーブル４９とクランパ５１との間にＣＤが介在された状態において、磁石５２から磁性体であるターンテーブル４９に向かって発生する磁力により、クランパ５１をターンテーブル４９に向かって押しつけ、ＣＤを堅固にターンテーブル４９に圧着するためのものである。蓋４７の下端にはパネル５３側のロックレバー５５と係合するためのロックレバー５７が固定されている。
【０００４】
【発明が解決しようとする課題】
ところで、上述のような立型のディスク装置では、図示せぬ蓋ロック解除手段を操作すると、ロックレバー５５とロックレバー５７の係合が解除され、蓋４７がヒンジ５８を支点として上方向に所定角度回動して開いた状態となる。この際、ディスクプレーヤの蓋４７を開けた時、レーザー光が目に入らないようにするため、蓋４７は所定の開口角度しか開かないようになっている。このため、ディスクホルダー４８にＣＤを載置する場合には、ディスクホルダー４８が固定式のため、パネル５３内の引っ込んだ位置にあり、蓋４７は所定の開口角度しか開かないため、ＣＤをディスクホルダー４８に簡単に載置することができず、ＣＤの挿入作業がかなり面倒であるという問題があった。
【０００５】
そこで、本発明は、ディスクホルダーを可動式とし、蓋を開けた状態では、ディスクホルダーがディスクを挿入しやすい蓋方向に移動し、蓋を閉めた状態では、ディスクホルダーが蓋と反対方向に移動してディスクをターンテーブルとクランパで保持されるように構成し、以て上述した課題を解決したディスク装置を提供することを目的とするものである。
【０００６】
【課題を解決するための手段】
本発明に係るディスク装置は、開閉蓋の裏面に設けられたクランプ部材によりディスクをターンテーブル上へ圧着保持するディスク装置において、前記開閉蓋の開閉に連動して前記ディスクを載置するためのディスクホルダーを前記ディスクの回転軸方向に移動させるリンク部材を備え、前記ディスクホルダーが弾性部材により前記開閉蓋方向に移動するように付勢され、前記開閉蓋を開けると、前記リンク部材により前記ディスクホルダーが前記開閉蓋方向に移動させられると共に、前記開閉蓋を閉じると、前記クランプ部材が前記ターンテーブルに前記ディスクをクランプ可能となるように前記リンク部材により前記ディスクホルダーが前記開閉蓋と反対方向に移動させられ、前記開閉蓋を開けて前記ディスクホルダーが前記開閉蓋方向に移動した位置にある場合には、前記ディスクホルダーが押されても移動しないよう係止する係止手段を備えたことを特徴とするものである。
【０００７】
本発明に係るディスク装置では、開閉蓋を開けると、リンク部材によりディスクホルダーが開閉蓋方向に移動させられ、ディスクホルダーにディスクを載置するのが容易となる。次いで、開閉蓋を閉じると、弾性部材の付勢力に抗してリンク部材によりディスクホルダーが開閉蓋と反対方向に移動させられ、クランプ部材がターンテーブルにディスクをクランプすることができる。そして、開閉蓋が開けられた状態では、ディスクホルダーがクランプされ、ディスクが装着しやすくなっている。
【０００８】
【発明の実施の形態】
以下、図面に沿って本発明に係るディスク装置の実施の形態の一例を説明する。図１は本発明に係るディスク装置を備えたＣＤステレオシステムを示す図である。ＣＤステレオシステム１は、筐体であるパネル２を有し、パネル２の中央にはＣＤプレーヤ部３が設けられ、ＣＤプレーヤ部３の左右両側にはスピーカー５が内蔵されている。パネル２の中央正面にはＣＤを挿入するためのディスク装置６が設けられ、パネル２の中央上面にはＣＤを操作するための各種操作釦７が設けられている。
【０００９】
図２はディスク装置の側断面図であり、蓋を開けた状態を示している。ディスク装置６は開閉蓋である蓋９と、ＣＤを載置するためのディスクホルダー１０と、ディスクホルダー１０に載置されたＣＤを装着するためのターンテーブル１１とから概略構成されている。スピンドルモータ１２の軸に固定されたターンテーブル１１は、円板部１１ａと、円板部１１ａの中央に突出した例えば円錐台形の突部１１ｂから概略形成されている。
【００１０】
図３はディスク装置のディスクホルダー部分を示す正面図、図４はその分解側面図である。ディスクホルダー１０は上端の左右にそれぞれ係合ピン１０ａが突設され、下端の左右にそれぞれ係合ピン１０ｂが突設されている。ディスクホルダー１０の中央にはターンテーブル１１が挿通可能な丸穴１０ｃが開けられており、丸穴１０ｃより所定間隔を隔てた外側には直径８ｃｍのシングルＣＤ用の円形の段差１０ｄが、段差１０ｄの外側には直径１２ｃｍのＣＤ用の円形の段差１０ｅが設けられている。本発明はディスクホルダー１０を軸方向に移動可能とし、蓋９を開いた状態ではディスクホルダー１０を前進させ、かつロックして、ディスクを挿入しやすくし、蓋９を閉じた状態ではディスクホルダー１０を後退させ、ディスクをターンテーブル１１に装着させるものである。
【００１１】
図２に示すように、ディスクホルダー１０の係合ピン１０ａはリンク部材である第１のリンク１４の長孔１４ａに係合しており、長孔１４ａの範囲内で移動可能となっている。第１のリンク１４はピン１５を介してパネル２に設けられた支持部１８に回転可能に支持されている。一方、ディスクホルダー１０の下端の係合ピン１０ｂはリンク部材である第２のリンク１６の長孔１６ａに係合しており、係合ピン１０ｂは長孔１６ａの範囲内で移動可能となっている。第２のリンク１６はピン１７を介してパネル２に設けられた支持部１９に回転可能に支持されている。更に、第２のリンク１６には後述する第２のレバー２８の係合ピン２８ｂと係合するためのカム溝１６ｂが刻まれている。
【００１２】
ピン１５にはバネ２０が巻装され、バネ２０の一端はパネル２に当接し、他端は第１のリンク１４に当接している。ピン１７にはバネ２２が巻装され、バネ２２の一端はパネル２に当接し、他端は第２のリンク１６に当接している。更に、図３に示すように、ディスクホルダー１０の上下両端は弾性部材であるバネ２３，２４により蓋９側に押し出される（進出する）ように付勢されている。
【００１３】
図２に示すように、第１のリンク１４の後方側の側面にはパネル２にピン２５を介して回転可能に支持されたリンク部材である第１のレバー２６の一端が当接し、第１のレバー２６の他端にはパネル２にピン２７を介して回転可能に支持されたリンク部材である第２のレバー２８の一端の係合ピン２８ａが当接している。第２のレバー２８の他端の係合ピン２８ｂは第２のリンク１６のカム溝１６ｂと係合するようになっている。レバー２６，２８は第１のリンク１４の動作を第２のリンク１６に伝達するためのものである。
【００１４】
そして、パネル２の下部には蓋９側の後述するロックレバー４１と係合するためのロックレバー３０が回動可能に軸支され、バネ３１でロックレバー４１と係合する方向に付勢されている。
【００１５】
次に、蓋９について説明する。蓋９の上端はパネル２に設けられた支持部１８にヒンジ３３を介して回転自在に枢支され、ヒンジ３３に巻装されたバネ３５により常に開く方向に付勢されている。蓋９の裏面のヒンジ３３の下方にはリンク部材である突部３６が設けられ、この突部３６は第１のリンク１４の側面に当接可能となっている。
【００１６】
蓋９の裏面略中央部には片側が閉鎖された円筒形状のクランプ支持体３７が固定され、クランプ支持体３７の閉鎖された側面には大径の穴３７ａが明けられ、この穴３７ａにはＣＤをクランプするためのクランプ部材であるクランパ３８が上下方向に移動可能に遊嵌されている。クランパ３８は、ターンテーブル１１との間に配置されるＣＤを押圧するための円板型の押圧部３８ａと、押圧部３８ａより小径で外周にリング状の磁石４０を装着した円柱形の連結部３８ｂと、穴３７ａより大径の円板形鍔部３８ｃとから形成されている。
【００１７】
更に、クランパ３８の押圧部３８ａの中央には、ターンテーブル１１の突部１１ｂと嵌合するための嵌合孔３８ａ-1が形成されている。押圧部３８ａの嵌合孔３８ａ-1は逆円錐台形であり、このためクランパ３８とターンテーブル１１が近接した状態で、ターンテーブル１１の中心とクランパ３８の中心が多少位置ずれしていても、ターンテーブル１１の突部１１ｂが円錐台形であるため、押圧部３８ａの嵌合孔３８ａ-1とターンテーブル１１の突部１１ｂは容易に嵌合して、ターンテーブル１１の中心とクランパ３８の中心を合致させることができる。
【００１８】
クランパ３８の連結部３８ｂは、リング状の磁石４０を装着した状態で、穴３７ａに対して一定の間隔を有して挿通されており、従ってクランパ３８は連結部３８ｂの範囲でクランプ支持体３７に対して上下方向に移動可能となっている。
【００１９】
リング状の磁石４０は、ＣＤをクランプしている状態、すなわちターンテーブル１１とクランパ３８との間にＣＤが介在された状態において、磁石４０から磁性体であるターンテーブル１１に向かって発生する磁力により、クランパ３８をターンテーブル１１に向かって押しつけ、ＣＤを堅固にターンテーブル１１に圧着するためのものである。これにより、ターンテーブル１１の回転に伴ってＣＤを確実に回転させることができる。更に、蓋９の下端にはパネル２側のロックレバー３０と係合するためのロックレバー４１が固定されている。
【００２０】
次に、蓋を開いた場合のディスクホルダーの状態について説明する。図５は蓋を開いた場合のディスクホルダーの作動説明図である。図示せぬ蓋ロック解除釦を操作すると、パネル２側のロックレバー３０と蓋９側のロックレバー４１との係合が解除され、蓋９が一対のバネ３５の弾性により上方向に所定角度回動して開く。ＣＤステレオシステム１の蓋９を開けた時、レーザー光が目に入らないようにするため、蓋９は所定の開口角度しか開かないようになっている。
【００２１】
蓋９の上方への回動に伴って蓋９の突部３６と第１のリンク１４との当接が解除され、バネ２０により第１のリンク１４が時計方向に回動し、長孔１４ａの後端にディスクホルダー１０の係合ピン１０ａが当接すると共に、上下一対のバネ２３，２４によりディスクホルダー１０が前進し、リンク２６，２８を介して第２のリンク１６が反時計方向に回動し、長孔１６ａの後端にディスクホルダー１０の係合ピン１０ｂが当接する。すなわち、ディスクホルダー１０全体が蓋９側に前進する。
【００２２】
この際、ＣＤを装着するためディスクホルダー１０を軸方向であるターンテーブル１１方向に押す力Ｐが作用しても、ディスクホルダー１０の係合ピン１０ａ，１０ｂは、互いに斜め内側方向に向きかつ軸方向に延出した長孔１４ａ，１６ａの後端に当接しているため、それ以上軸方向の内側方向に動くことはなく、それぞれのピン１５，１７方向へ向かう分力Ｐ１，Ｐ２が作用するだけである。
【００２３】
従って、蓋９を開くと、ディスクホルダー１０が蓋９側に前進するので、ＣＤを装着するのが極めて容易である。しかも、ＣＤを装着するに際してディスクホルダー１０をターンテーブル１１方向に押す力Ｐが作用しても、ディスクホルダー１０は軸方向に動くことはなく、がたつくことなく、しっかりと保持される。
【００２４】
次に、蓋を閉じた状態について説明する。図６は蓋を閉じた場合のディスクホルダーの作動説明図である。蓋９を閉じると、パネル２側のロックレバー３０と蓋９側のロックレバー４１とが係合して蓋９がロック状態となる。同時に、蓋９の下方への回動に伴って蓋９の突部３６と第１のリンク１４とが当接し、上下一対のバネ２３，２４の付勢力及びバネ２０の付勢力に抗して第１のリンク１４が反時計方向に回動し、長孔１４ａの前端にディスクホルダー１０の係合ピン１０ａが当接し、それに伴ってリンク２６，２８を介して第２のリンク１６がバネ２２の付勢力に抗して時計方向に回動し、長孔１６ａの前端にディスクホルダー１０の係合ピン１０ｂが当接し、ディスクホルダー１０全体がターンテーブル１１側に後退し、ディスクホルダー１０の丸穴１０ｃ内にターンテーブル１１が進出する。ディスクホルダー１０がバネ２０，２２の付勢力に抗して後退する際、上下一対のバネ２３，２４によりディスクホルダー１０が付勢されているので、ディスクホルダー１０ががたつくことはない。
【００２５】
そして、ＣＤをクランプしている状態、すなわちディスクホルダー１０が後退し、ディスクホルダー１０の丸孔１０ｃから突出したターンテーブル１１とクランパ３８との間にＣＤが介在された状態において、磁石４０から磁性体であるターンテーブル１１に向かって発生する磁力により、クランパ３８をターンテーブル１１に向かって押しつけ、ＣＤを堅固にターンテーブル１１に圧着することができる。この際、挿入されるＣＤは直径１２ｃｍのＣＤでも直径８ｃｍのシングルＣＤでもいづれでもよく、クランパ３８をターンテーブル１１に向かって押しつけ、ＣＤ又はシングルＣＤを堅固にターンテーブル１１に圧着することができる。
【００２６】
なお、上述実施の形態では、ディスクをＣＤとしたが、これに限らず、ビデオＣＤ、ＭＤ等他のディスクであってもよいことは勿論である。立型のディスク装置としたが、これに限らず、横型のディスク装置であってもよいことは勿論である。
【００２７】
立型のディスク装置の場合、ディスクホルダー１０を前進又は後退させるとしたが、これに限定されるわけではなく、ディスクホルダー１０を蓋９方向に移動又は蓋９と反対方向に移動させるとしてもよい。
【００２８】
弾性部材として、上下一対のバネ２３，２４としたが、これに限定されるわけではなく、弾性部材としてリンク１４，１６を付勢するバネ２０，２２のみとしてもよい。
【００２９】
【発明の効果】
以上説明したように、本発明によれば、開閉蓋を開けると、リンク部材によりディスクホルダーが開閉蓋方向に移動させられるので、ディスクホルダーにディスクを載置するのが極めて容易である。
また、開閉蓋を閉じると、リンク部材によりディスクホルダーが開閉蓋と反対方向に移動させられ、クランプ部材がターンテーブルにディスクを確実にクランプすることができる。
【００３０】
係止手段を備えている場合には、開閉蓋を開けてディスクホルダーが開閉蓋方向に移動した位置にある時には、ディスクホルダーが押されても移動しないよう係止することができるので、ディスクホルダーががたつくことはなく、ディスクホルダーにディスクを安定して載置することができる。
【図面の簡単な説明】
【図１】本発明に係るディスク装置を備えたＣＤステレオシステムの外観図である。
【図２】本発明に係るディスク装置の側断面図である。
【図３】本発明に係るディスク装置のディスクホルダー部分を示す正面図である。
【図４】ディスクホルダー部分の分解側面図である。
【図５】蓋を開いた場合のディスクホルダーの作動説明図である。
【図６】蓋を閉じた場合のディスクホルダーの作動説明図である。
【図７】従来の立型のディスクプレーヤのディスク装置の一例を示す側断面図である。
【符号の説明】
１  ＣＤシステムステレオ
２  パネル
９  蓋（開閉蓋）
１０  ディスクホルダー
１０ａ，１０ｂ  係合ピン
１０ｃ  丸穴
１０ｄ，１０ｅ  段差
１１  ターンテーブル
１２  スピンドルモータ
１４  第１のリンク（リンク部材）
１４ａ  長孔
１５，１７  ピン
１６  第２のリンク（リンク部材）
１６ａ  長孔
１６ｂ  カム溝
２３，２４  バネ（弾性部材）
２６，２８  レバー（リンク部材）
３３  ヒンジ
３６  突部（リンク部材）
３８  クランパ（クランプ部材）
【図１】
0003997661.tif 000002
【図２】
0003997661.tif 000003
【図３】
0003997661.tif 000004
【図４】
0003997661.tif 000005
【図５】
0003997661.tif 000006
【図６】
0003997661.tif 000007
【図７】
0003997661.tif 000008